(57)【要約】電源電圧レベルの変化に対する応答を向上させた温度安定化装置は、装置アセンブリを加熱するヒータ回路と、ヒータ制御信号が電源電圧レベルの変化に応じて調整される温度制御回路と、を備える。【選択図】図８
2020533850.tif 000002
【特許請求の範囲】
【請求項１】
電源電圧源により給電することができる温度安定化装置であって、前記装置は、装置アセンブリを加熱するヒータ回路と、ヒータ制御信号を生成して前記ヒータ回路内で消費される電力量を制御するように構成される温度制御回路と、を備え、前記ヒータ制御信号は、前記電源電圧レベルに依存するように配置され、前記電源電圧レベルの変化に応じて電子的に調整されるように配置される、温度安定化装置。
【請求項２】
電子回路は、前記信号が前記ヒータ回路またはヒータドライバ回路に印加される前に、前記ヒータ制御信号を小さくするように構成される、請求項１に記載の温度安定化装置。
【請求項３】
前記温度安定化装置は、オーブン制御発振器（Ｏｖｅｎ−Ｃｏｎｔｒｏｌｌｅｄ  Ｏｓｃｉｌｌａｔｏｒ）装置である、請求項１または請求項２のいずれかに記載の温度安定化装置。
【請求項４】
前記オーブン制御発振器装置は、オーブン制御水晶発振器（Ｏｖｅｎ−Ｃｏｎｔｒｏｌｌｅｄ  Ｃｒｙｓｔａｌ  Ｏｓｃｉｌｌａｔｏｒ）装置である、請求項３に記載のオーブン制御発振器装置。
【請求項５】
前記オーブン制御発振器装置は、オーブン制御ＳＡＷ発振器（Ｏｖｅｎ−Ｃｏｎｔｒｏｌｌｅｄ  ＳＡＷ  Ｏｓｃｉｌｌａｔｏｒ）装置である、請求項３に記載のオーブン制御発振器装置。
【請求項６】
前記オーブン制御発振器装置は、オーブン制御ＭＥＭＳ発振器（Ｏｖｅｎ−Ｃｏｎｔｒｏｌｌｅｄ  ＭＥＭＳ  Ｏｓｃｉｌｌａｔｏｒ）装置である、請求項３に記載のオーブン制御発振器装置。
【請求項７】
前記温度制御回路は、前記ヒータ回路内で消費される前記電力量を制御して、前記装置アセンブリ温度を前記装置の所望の動作周囲温度範囲の最大±５％以内に維持するように構成される、請求項１〜６のいずれかに記載の温度安定化装置。
【請求項８】
前記温度制御回路は、前記ヒータ回路内で消費される前記電力量を制御して、前記装置アセンブリ温度を前記装置の所望の動作周囲温度範囲の最大±１％以内に維持するように構成される、請求項１〜６のいずれかに記載の温度安定化装置。
【請求項９】
前記温度制御回路は、前記ヒータ回路内で消費される前記電力量を制御して、前記装置アセンブリ温度を前記装置の所望の動作周囲温度範囲の最大±０．０１％以内に維持するように構成される、請求項１〜６のいずれかに記載の温度安定化装置。
【請求項１０】
前記ヒータ制御信号は、前記電源電圧レベルの変化が±１０％を超えないように電子的に調整されるように構成される、請求項１〜９のいずれかに記載の温度安定化装置。
【請求項１１】
前記ヒータ制御信号は、前記電源電圧レベルの変化が±５％を超えないように電子的に調整されるように構成される、請求項１〜９のいずれかに記載の温度安定化装置。
【請求項１２】
前記ヒータ制御信号は、前記電源電圧レベルの変化が±１％を超えないように電子的に調整されるように構成される、請求項１〜９のいずれかに記載の温度安定化装置。
【請求項１３】
電源電圧源により給電することができるオーブン制御発振器装置であって、前記装置は、発振器回路と、装置アセンブリを加熱するヒータ回路と、ヒータ制御信号を生成して前記ヒータ回路内で消費される電力量を制御することにより安定した装置アセンブリ温度を維持するように構成される温度制御ループと、を備え、前記ヒータ制御信号は、前記電源電圧レベルに依存するように配置され、前記電源電圧レベルの変化に応じて調整されるように配置される、オーブン制御発振器装置。
【請求項１４】
追加回路は、前記信号が前記ヒータ回路に印加される前に、前記ヒータ駆動信号を小さくするように構成される、請求項１３に記載のオーブン制御発振器装置。
【発明の詳細な説明】
【技術分野】
【０００１】
本発明は、電源変動に対する装置の過渡応答を加速させて、装置の温度が制御設定値に戻るために必要な期間を短くし、結果として、装置の主な性能パラメータの不所望な過渡変化を小さくする温度安定化電子装置に関する。
【背景技術】
【０００２】
多くの電子装置の主な性能パラメータは、多くの場合、周囲温度に依存している。例えば、電子発振器により生成される信号の周波数は、周囲温度、電源電圧、機械的加速度のような複数の外部パラメータに依存し、周波数の不安定性は、周囲温度変化が特に顕著になることに起因している。
【０００３】
多くの技術が、周囲温度の変動に対する電子装置の主な性能パラメータの感度を下げるために開発されている。１つのこのような技術が、装置の温度安定化であり、電子装置の感温部分は、温度安定環境に載置されることにより、周囲温度変動の影響を小さくしている。
【０００４】
温度安定化電子装置の１つの例が、オーブン制御電子発振器である。オーブン制御発振器（ＯＣＯ）では、装置の温度は、普通、装置の最大動作温度よりも数度高く設定される所定のレベルに制御および維持され、その結果、発振器の温度変動が周囲温度の変動と比較して大幅に小さくなり、出力周波数の安定性が向上するようになる。オーブン制御発振器装置（Ｏｖｅｎ−Ｃｏｎｔｒｏｌｌｅｄ  Ｏｓｃｉｌｌａｔｏｒ  ｄｅｖｉｃｅ）の例は、水晶共振器を備える発振器回路を含むオーブン制御水晶発振器（ＯＣＸＯ）、微小電気機械システム（ＭＥＭＳ）共振器を備える発振器回路を含むオーブン制御ＭＥＭＳ発振器（ＯＣＭＯ）、表面弾性波（ＳＡＷ）共振器を備える発振器回路を含むオーブン制御ＳＡＷ発振器（ＯＣＳＯ）などである。
【０００５】
安定した装置アセンブリ温度を温度安定化装置内で維持するために、閉ループ温度制御技術が装備される場合が多い。図１（先行技術）の図は、このような制御ループの例を提供する。図１に示すように、装置アセンブリ１の温度は温度センサ２により検知され、検知された温度値（「装置アセンブリ温度」）は必要な温度値（「設定値」）と比較され、温度誤差値が、設定値と実際の装置アセンブリ温度値との差として算出され、温度誤差が次に、誤差処理ブロック３で処理され、誤差処理ブロック３の出力で、１つのヒータ４、またはいくつかのヒータ４を制御して温度誤差値を最小限に抑えることにより、装置の温度が設定値により近づくようにする。
【０００６】
多数の既知の制御アルゴリズムのいずれかの制御アルゴリズムを誤差処理ブロック内で使用することができる。例えば、比例制御アルゴリズムを使用することができ、この制御方法では、誤差処理ブロックの出力（すなわち、ヒータ制御信号）は、温度誤差に比例するように配置され、
ＳＨＣ＝ＫＰ＊ΔＴ                      （１）
式中、ＳＨＣはヒータ制御信号の値であり、ＫＰは比例制御係数（比例ゲインとしても知られている）であり、ΔＴは温度誤差値（すなわち、必要な温度「ｓｅｔｐｏｉｎｔ（設定）」値と装置アセンブリの実際の温度値との差）である。特定の回路形態に応じて、ヒータ制御信号は電圧信号ＶＨＣまたは電流信号ＩＨＣのいずれかとすることができる。
【０００７】
表現式（１）から、比例制御アルゴリズムにより、「オフセット」と呼ばれることが多い非ゼロの温度誤差が永続的なものになるということになる。実際、温度誤差がゼロ値になると（すなわち、装置アセンブリ温度が所望の「ｓｅｔｐｏｉｎｔ（設定）」値に等しくなると）すぐに、ヒータ制御信号ＳＨＣの値もゼロになり、これにより今度は、装置アセンブリ温度が、所望の「ｓｅｔｐｏｉｎｔ（設定）」温度から徐々に外れていく。比例ゲイン値ＫＰが正しく設定され、制御ループが安定しているとした場合、定常状態になって、ＳＨＣ値およびΔΤ値が安定して非ゼロになる、すなわち永続的な温度「オフセット」が生じる。不所望の「オフセット」をなくす、または少なくとも最小限に抑えるために、比例制御方法を、定数項を制御表現式に追加することにより強化することができ、
ＳＨＣ＝ＫＰ＊ΔＴ＋ＣＨＣ                        （２）
式中、ＣＨＣは追加されたヒータ制御定数項である。
【０００８】
表現式（２）から、定数制御項ＣＨＣで、正しく設定される場合に、オフセット誤差を実際になくすことができるが、当該オフセット誤差の値は、周囲温度の特定の１個の値に関してのみ最適になるということになる。
【０００９】
追加項を周囲温度の全動作範囲に合わせるために、追加項は温度誤差ΔΤの時間積分として生成することができ、このような制御アルゴリズムは、以下の表現式：
ＳＨＣ＝ＫＰ＊ΔＴ＋ＫＩ＊∫ΔＴ＊∂ｔ            （３）
に従った比例積分（ＰＩ）および関数として知られており、式中、ＫＰは比例ゲインであり、
ΔΤは、温度誤差値であり、
ＫＩは積分ゲインであり、
∂ｔは、時間積分を示している。
【００１０】
表現式（３）中の積分処理ＫＩ＊∫ΔＴ＊∂ｔで、表現式（２）中の定数項ＣＨＣを置き換え、当該積分処理は、温度誤差値ΔＴに応じて自動的に調整される項を表わしている。積分処理の積分の性質により、ＰＩコントローラの積分処理は、時間軸で遅くなる、すなわち積分処理が最大効果をもたらすためにかなりの時間を要する。
【００１１】
比例および比例積分の他に、他の既知の制御アルゴリズムを使用して、温度安定化装置のアセンブリ温度を制御することができる。重要な点は、このようなアルゴリズムのいずれかのアルゴリズムにおけるヒータ制御信号ＳＨＣが、たった１つの変数−温度誤差：
ＳＨＣ＝ｆ（ΔＴ）                        （４）
の関数として生成されることである。
【００１２】
表現式（４）の意味の１つは、制御アルゴリズムが電源レベルの変化を直接には考慮に入れていないことである。これは、温度安定化装置の電源電圧が変化する場合、この変化により、ヒータ（複数可）内で消費される電力量の変化が生じるようになって、装置アセンブリ温度および温度誤差値の変化が生じるようになることを意味している。温度誤差の偏移が温度制御ループにより処理され、結果としての処理が、処理の効果をもたらすように行われるためにかなりの時間を要することになる。ＰＩ制御の場合、ΔΤの変化は最終的にではあるが、特定の期間後にのみ補正され、特定の期間は、（ａ）変化しているΔΤ値を積分器Ｋｉ＊∫ΔΤ＊∂ｔで積分するために必要な時間、および（ｂ）装置アセンブリが必要な温度を取得するために必要な時間から構成され、期間（ｂ）は、温度安定化装置アセンブリにより提示される熱質量の大きさに依存する。
【００１３】
電源電圧レベルの変化の別の意味は、ヒータ以外の温度安定化装置の回路内および構成部品内で消費される電力も変化することである。この消費電力は装置アセンブリの加熱にも寄与するので、消費電力の変化により温度誤差が追加されるようになる。この場合も同じく、先行技術による温度安定化装置の温度制御ループは、積分制御処理の性質および装置の熱質量に起因して、この変化を最終的にではあるが、所定期間後にのみ「ｔａｋｅ  ｃａｒｅ（処理する）」。
【００１４】
本発明の目的は、温度安定化装置の温度を電源電圧変化後に設定値に戻して、温度外乱が温度安定化装置の主な性能パラメータに与える不所望な影響を小さくするために必要な期間を短くすることができる技術を提供することにある、または温度安定化装置の電源電圧変化により生じる過渡的影響を軽減する技術が改善されない場合に代替物を少なくとも提供することにある。例えば、オーブン制御発振器（ＯＣＯ）装置では、本発明の技術の使用により、電源変動の結果として装置が過渡的温度外乱を受ける時間を短くし、過渡的温度外乱の絶対値を小さくすることができ、これにより、ＯＣＯ装置により生成される出力周波数の変動を短縮して小さくすることができる。
【発明の概要】
【００１５】
本明細書および特許請求の範囲において使用される「ｃｏｍｐｒｉｓｉｎｇ（備える」という用語は、「〜の少なくとも一部からなる」を意味している。「ｃｏｍｐｒｉｓｉｎｇ（備える」という用語を含む本明細書および特許請求の範囲における各記述を解釈する場合、この用語の後に続く特徴またはそれらの特徴以外の特徴がさらに存在し得る。「ｃｏｍｐｒｉｓｅ（備える）」および「ｃｏｍｐｒｉｓｅｓ（備える）」のような関連用語は、同じように解釈されるべきである。
【００１６】
本発明の第１の態様では、本発明は、電源電圧源により給電することができる温度安定化装置を提示し、当該装置は、装置アセンブリを加熱するヒータ回路と、ヒータ制御信号を生成してヒータ回路内で消費される電力量を制御するように配置される温度制御回路と、を備え、ヒータ制御信号は、電源電圧レベルに依存するように構成され、電源電圧レベルの変化に応じて電子的に調整されるように構成される。
【００１７】
少なくともいくつかの実施形態では、温度制御回路は、ヒータ回路内で消費される電力量を制御して、装置アセンブリ温度を、装置の目的の動作周囲温度範囲の最大±５％以内、より好ましくは最大±１％以内、より好ましくは最大±０．０１％以内に維持するように配置される。
【００１８】
少なくともいくつかの実施形態では、ヒータ制御信号は、±１０％、より好ましくは±５％、より好ましくは±１％を超えない電源電圧レベルの変化に応じて電子的に調整されるように配置される。
【００１９】
本発明の第２の態様では、上述の温度安定化装置において、電子回路は、ヒータ制御信号を、当該信号がヒータ回路に、またはヒータドライバ回路に印加される前に小さくするように配置される。
【００２０】
このようなことから、本発明には２つの主要な態様がある。
【００２１】
Ｉ．本発明の第１の態様では、オン温度安定化装置の追加回路は、以下の機能：（ａ）電源電圧レベルを検出すること、および（ｂ）温度誤差値だけでなく、検出される電源電圧値にも依存するヒータ制御信号を生成することを行うように配置される。言い換えれば、本発明の温度安定化デバイスの場合、上の表現式（４）は以下の表現式：
ＳＨＣ＝ｆ（ΔＴ，ＶＳ）                          （５）
で置き換えられる。
式中、ＳＨＣはヒータ制御信号の値であり、
ΔＴは温度誤差値であり、
ＶＳは電源電圧値である。
【００２２】
ヒータ制御信号を温度誤差および電源電圧の両方の関数として生成する利点は、電源電圧が変化する場合に、ヒータ電力をそれに応じて制御アルゴリズムにより調整して、ヒータ電力量を必要に応じて維持して安定した装置アセンブリ温度を維持し、さらに、ヒータ制御信号調整が電子的に行われるので、当該調整は、電源電圧変化の直後に行われ、温度制御ループが装置温度を必要な設定値にするために必要となったであろう期間にわたって行われるよりもかなり迅速に行われる。表現式（５）に従って生成されるヒータ制御信号は、「ｐｏｗｅｒ  ｓｕｐｐｌｙ  ｃｏｍｐｅｎｓａｔｅｄ（電源補正を行う）」と言うことができる。
【００２３】
ＩＩ．本発明の第２の態様では、さらに別の追加回路を導入して、電源変化に対する温度安定化装置の過渡応答をさらに加速する。
【００２４】
温度安定化電子装置では、電力は、ヒータ（複数可）内だけでなく、装置の他のあらゆる電子回路内および電子部品内でも消費される。例えば、ＯＣＯ装置では、電力消費は、定電圧回路、発振器回路、出力バッファ回路などにおいても行われる。この内部消費電力により、装置がさらに加熱されるようになる、すなわち装置が、ヒータ（複数可）による加熱に加えて加熱されるようになる。高い周囲温度では、温度依存ヒータ電力が小さくなり、内部消費電力は当該ヒータ電力と同等になるか、または当該ヒータ電力を超えてしまう。
【００２５】
電源電圧レベルが変化する場合、ヒータ電力は、かなりの遅れを全く伴うことなく、本発明の第１の態様として説明される技術を使用して調整することができる。しかしながら、内部消費電力変化も生じることになり、このような変化によって生じる温度誤差は、当該温度誤差が、温度制御ループにより、装置の熱質量に関連する遅れを伴いながら、場合によっては、装備される制御アルゴリズムの性質に関連する遅れを伴いながら補正される必要があるので、同じように速くは補正されないことになる。
【００２６】
電源電圧の変化に起因する内部消費電力の変化に対する温度安定化装置の応答を加速するために、実施形態では、追加回路を導入して、減算量が内部消費電力量に対応するように少量の電源補正ヒータ制御信号を減算する。これは、図２および図３を参照してさらに説明される。定常状態では、温度安定化装置アセンブリ温度は安定しており、当該装置アセンブリ温度の安定性は、装置アセンブリを加熱して周囲環境に失われる熱を補正することにより実現される。上に説明し、図２に示すように、温度安定化装置の加熱は、電力ＰＨ１を消費するヒータにより、および内部消費電力ＰＤにより行われる。
ＰΣ＝ＰＨ１＋ＰＤ                              （６）
式中、ＰΣは温度安定化装置を加熱する合計電力であり、
ＰＨ１は、ヒータ（複数可）内で消費される電力であり、
ＰＤは内部消費電力である。
【００２７】
従来の温度安定化装置では、ＰＨ１値およびＰＤ値は共に、電源電圧に依存し、電源電圧が変化する場合、ＰＨ１およびＰＤが共に変化して、温度誤差が温度制御ループにより処理されて、装置の熱質量に起因する所定期間後に、温度制御ループにより最小限に抑えられることになる。
【００２８】
本発明の第１の態様に従って実現される温度安定化装置では、電源電圧が変化する場合、ヒータ電力ＰＨ１は、本明細書のパートＩで説明された追加回路により維持される、すなわちヒータ制御信号ＳＨＣは、電源補正され、瞬時に調整されて電源電圧変化を吸収し、ヒータ電力は必要な装置温度を維持するために必要なレベルに維持される。しかしながら、温度安定化装置を加熱する合計電力の他の成分−内部消費電力ＰＤ−もまた、電源電圧変化に続いて変化して、温度制御ループにより補正されるための時間を要することになる温度誤差が生じる。電源電圧の変化に対する応答時間をさらに向上させるために、加熱配置は、本発明の第２の態様に従って変更され、図３に示される。
【００２９】
この配置では、少量の電源補正ヒータ制御信号を、当該信号がヒータ（複数可）に、またはヒータドライバ回路に印加される前に、減算量が内部消費電力ＰＤの量に対応するように減算する。これは、ヒータ制御ループに、あたかも当該ヒータ制御ループが内部消費電力も制御しているように提示され、これにより、本発明のパートＩで説明した技術で、電源変化に関する内部消費電力を瞬時に補正することができる。
【００３０】
コンセプトの説明を簡単にするために、ヒータ制御信号の減算量が内部消費電力ＰＤの量に対応すると仮定すると、図３に示す装置内の合計加熱電力は以下の表現式：
ＰΣ＝（ＰＨ２−ＰＤ）＋ＰＤ                      （７）
で表わされる。
安定したＯＣＯの温度を維持するために必要な電力の合計量は、図２および図３に示される配置におけるものと同じであるので、以下の表現式がなり立つ：
ＰＨ１＋ＰＤ＝（ＰＨ２−ＰＤ）＋ＰＤ                （８）
これは、
ＰＨ２＝ＰＨ１＋ＰＤ                                （９）
を意味している。
【００３１】
このようなことから、図３の配置では、および本発明の第２の態様によれば、少量の電源補正ヒータ制御信号を、当該制御信号がヒータ（複数可）に、またはヒータドライバ回路に印加される前に減算することにより、制御ループにより要求されるヒータ電力が増加するようになり、制御ループ要求は、本発明の第１の態様として開示される技術を使用して生成されるので、温度安定化装置内の合計加熱電力は、電源変化に関して電子的に補正され、このような変化に対して、従来の温度安定化装置よりもかなり迅速に反応するようになる。
【００３２】
本発明の第２の態様のより詳細な説明が、オーブン制御発振器（ＯＣＯ）装置に適用されるものとして以下に提示される。
【００３３】
多くの最新のＯＣＯ装置は、一定の電圧に調整されていない外部供給電源電圧よりも高い安定性で特徴付けられる電源電圧を生成する電圧レギュレータ回路を備える。
【００３４】
ＯＣＯアセンブリ内で消費される合計電力ＰΣはＯＣＯのヒータ（複数可）内で消費される電力ＰＨ１およびＯＣＯの内部にある他の全ての回路内で消費される電力ＰＤの総計である。
ＰΣ＝ＰＨ１＋ＰＤ
【００３５】
内部消費電力ＰＤは、内部定電圧調整電源から給電され、定電圧調整電源電流Ｉｒを引き出す回路により消費される電力、および一定の電圧に調整されていない電源の電流Ｉｕｒを引き出す一定の電圧に調整されていない電源から給電される回路により消費される電力に分けることができる。電流Ｉｒは、当該電流が、内部定電圧電源で動作する回路により引き出されるので、外部電源電圧Ｖに依存しないのに対し、（普通はかなり小さい）電流Ｉｕｒは、当該電流が、一定の電圧に調整されていない外部電源に直接接続される回路により引き出されるので、電源電圧Ｖとともに変化する−したがって、電流Ｉｕｒは、以下の表現式中のＶの関数であることが示される。
ＰＤ＝Ｉｒ＊Ｖ＋Ｉｕｒ（Ｖ）＊Ｖ
【００３６】
同様に、ヒータ電力は、ヒータ電流ＩＨＣおよび電圧の項で表わすことができ、
ＰＨ１＝ＩＨＣ＊Ｖ
式中、ＩＨＣは、本発明の第１の態様に従って、例えば電源電圧Ｖに反比例するように生成され、以下の表現式で記述することができる。
【数１】
2020533850.tif 000003
【００３７】
上の表現式では、ΔＴは温度誤差信号であり、ＴＧは、誤差処理段の温度センサゲインであり、ＩＨ／Ｖは、本明細書のパートＩに従って生成される電源補正ヒータ制御信号であり、ＣＧはヒータドライバ回路の電流ゲインである。
【００３８】
本発明の第２の態様によれば、少量のヒータ制御信号を、当該ヒータ制御信号がヒータドライバ回路に印加される前に減算する。
【数２】
2020533850.tif 000004
【００３９】
この余剰電流ＩＣは、合計電力容量に吸収されるので、一定の電流に調整される電流ＩｒはＩｃだけ増加してＩｒ１になる：
Ｉｒ１＝Ｉｒ＋ＩＣ
【００４０】
新規のヒータ電力ＰＨ２は以下のように表わされ、
【数３】
2020533850.tif 000005
装置内のヒータ以外で消費される電力ＰＤ１の新規値は、以下のとおりである。
【数４】
2020533850.tif 000006
【００４１】
新規合計電力ＰΣはしたがって、ＰＨ２およびＰＤ１の合計になる。
【数５】
2020533850.tif 000007
【００４２】
後出の表現式から、以下に示すように、Ｉｃを特定の値に等しくする場合、括弧｛｝内の項はゼロになろうとし、合計電力ＰΣは、電源電圧に大きく依存することがなく、パートＩの技術を単独で適用するよりも大きい程度に依存することがない。したがって、アセンブリは、電源電圧変動に、熱制御ループが当該変動を補正することができる場合よりも迅速に応答する。この技術に必要なＩＣの最適値は以下のとおりである。
【数６】
2020533850.tif 000008
【００４３】
この技術を最良に駆使する場合、電流ＩｕｒがＩｒよりもずっと小さい必要があり、これは普通、良好に設計されたＯＣＯ装置に当てはまる。また、合計電力消費を可能な限り小さく抑えるために、ヒータドライブ回路の電流ゲインＣＧは大きい必要がある、例えば３０よりも大きい必要がある。
【図面の簡単な説明】
【００４４】
本発明は、添付の図面を参照してさらに説明される。
【００４５】
【図１】従来の（先行技術による）温度安定化装置の温度制御ループを示している。
【図２】温度安定化装置の加熱電源を示している。
【図３】本発明の第２の態様を組み込んだ温度安定化装置の加熱電源を示している。
【図４】本発明の第１の態様を組み込んだ温度安定化装置の実施形態の例を示している。
【図５】電源検出回路の実施態様の例を示している。
【図６】調整可能な回路抵抗値の関数としてプロットされる温度制御勾配のグラフを示している。
【図７】電源依存ヒータ制御信号を生成する回路形態の例を示している。
【図８】本発明の第１および第２の態様の両方を組み込んだ温度安定化装置の実施形態を示している。
【図９】電流減算機能を実行する方法を示している。
【図１０】ヒータドライバおよびヒータ回路の例を示している。
【図１１】ヒータ制御信号減算回路を追加したヒータドライバおよびヒータ回路の例を示している。
【図１２】電流シンクモジュールの実施形態を示している。
【図１３】本発明の技術を利用することにより得られる性能上の利点を示している。
【図１４】本発明の技術を利用することにより得られる性能上の利点を示している。
【図１５】本発明の技術を利用することにより得られる性能上の利点を示している。
【図１６】本発明の技術を利用することにより得られる性能上の利点を示している。
【発明を実施するための形態】
【００４６】
図４は、本発明の第１の態様を組み込んだ温度安定化装置の実施形態を示している。装置アセンブリ温度は、温度センサ１を使用して検出され、必要な装置アセンブリ温度（「ｓｅｔｐｏｉｎｔ（設定値）」）と比較されて、誤差処理ブロック２の入力である温度誤差値を算出する。このブロックは、本明細書において前に説明したように、ヒータ制御信号を、選択した制御制御アルゴリズムに従って生成する。従来の温度安定化装置では、ヒータ制御信号は、ヒータ（複数可）のドライバ回路に接続されるのに対し、本発明の装置では、追加回路−電源補正回路３−を導入してヒータ制御信号を生成し、ヒータ制御信号は、電源電圧のレベルの変化に関して調整されるので、電源電圧のレベルに依存している。したがって、後者−ＶＳＵＰＰＬＹ−は、図４に示すように、電源補正ブロック３に必要な第２の入力である。このようなことから、点４で結果として得られる電源補正ヒータ制御信号は、温度誤差の現在値および電源電圧の現在値の両方の関数である。
【００４７】
点４における電源補正ヒータ制御信号は、ヒータ（複数可）のドライバ回路５の入力として接続され、ドライバ回路５は、ヒータ（複数可）６を駆動して、装置アセンブリ７の安定した温度を制御および維持する。
【００４８】
ヒータ制御信号４は、電源レベルのどのような変化に関しても継続的に調整されて（この調整では、定電圧調整が非常に短い間隔で、例えば３０ｍｓごとに行われる）、このような変化に、本発明の温度安定化装置が、従来の温度安定化装置におけるよりもかなり迅速に応答する。
【００４９】
電源補正回路を搭載する１つの方法では、電源補正回路を乗算器回路として搭載して、乗算器回路が、誤差処理ブロックの出力の信号と、電源電圧とともに直線的に小さくなる信号の積を生成するようにする。言い換えれば、１つの実施態様では、電源検出回路の出力に、加熱要求信号を乗算し、結果として得られる信号を使用して加熱装置を駆動する。
【００５０】
電源検出回路の１つの実施態様が図５に示されている。当該回路は、バイポーラトランジスタＱｒｅｆ、Ｑ０およびＱ１、サイズ比がＭのＮＭＯＳトランジスタＭ０およびＭ１、電流源Ｉｒｅｆ、および電流ｌ０およびｌ１がこれらの抵抗を流れるエミッタ抵抗Ｒ０およびＲ１により構成される。ＶＲＥＧ、ＶＵＲＥＧ、およびＶＲＥＦは、回路により使用される一定の電圧に調整された電圧、一定の電圧に調整されていない電圧、および基準電圧であるのに対し、ＩＯＵＴは回路により生成される電源検出信号である。Ｑｒｅｆ、Ｑ０およびＱ１は、基準電圧と同じ電圧がＱ０およびＱ１のエミッタに現われて、これらの点の電圧をほぼ一定にするように構成される。定電圧調整されていない電源電圧が変化すると、電流Ｉ０も変化する。定電圧調整されていない電源電圧が増加すると電流Ｉ０が増加し、定電圧調整されていない電源電圧が減少すると電流Ｉ０が減少する。電流ゲインがＭのカレントミラー（Ｍ０およびＭ１を含む）は、Ｉ０をＭ倍した電流を電流Ｉ１から減算する。この差分が、電源電圧依存信号を表わす出力電流信号（ＩＯＵＴ）である。
【００５１】
加熱電力は以下のとおりに表わすことができる。
Ｐｏｗｅｒ＝Ｖｖｕｒｅｇ×Ｉｏｕｔ
【００５２】
この回路では、
Ｖｒｅｇ＝Ｖｒｅｆ×２
Ｉｏｕｔ＝Ｉ１−Ｍ×Ｉ０
【数７】
2020533850.tif 000009
【００５３】
ここで、加熱電力は以下のとおりに表わすことができる。
【数８】
2020533850.tif 000010
【００５４】
電源電圧変動に対する加熱電力の最小感度は、次式：
【数９】
2020533850.tif 000011
がなり立つ場合に実現される。
したがって、
【数１０】
2020533850.tif 000012
となる。
【００５５】
Ｒ０およびＲ１の値が与えられる場合のＭの最適値は以下のとおりである。
【数１１】
2020533850.tif 000013
【００５６】
このようなことから、抵抗Ｒ０の値を変更することにより、図６に示すように、電源電圧が任意に与えられる場合のヒータ電源感度を最小限に抑えることができ、温度制御勾配（℃／Ｖ単位）は、抵抗値の関数としてプロットされ、最適な抵抗値は水平軸を横切るプロットの近傍にある（すなわち、電源変動に対する感度がゼロに近い箇所）。あるいは、Ｍの値を変更して、Ｒ０およびＲ１の値が与えられる場合の最適な電源感度を取得することができる。本発明の実施形態では、Ｍの値およびＲ０／Ｒ１比の値は、同時に選択することができる。
【００５７】
電源依存ヒータ制御信号を生成する全回路を搭載する実施形態が図７に示されている。この回路は、図５に示す電源検出回路と、前に説明した温度誤差処理回路により生成される電源検出信号ＩＯＵＴおよびＨＥＡＴＥＲ  ＤＥＭＡＮＤ信号（ＨＥＡＴＥＲ  ＲＥＦＥＲＥＮＣＥ信号と一緒に使用される）の積を生成する追加回路と、により構成される。追加回路は、ＮＰＮトランジスタＱ２、Ｑ３、Ｑ１０〜Ｑ１７、抵抗Ｒ６およびＲ７、ならびに電流源Ｉ３およびＩ４により構成される。この回路では、ＨＥＡＴＥＲ  ＲＥＦＥＲＥＮＣＥおよびＨＥＡＴＥＲ  ＤＥＭＡＮＤは差動ペアＱ２、Ｑ３に供給され、電流は電流源Ｉ３、Ｉ４により設定され、動作状態はＲ７、Ｑ１７およびＱ１８により設定される。次に、差分信号がＱ２およびＱ３からＱ１１およびＱ１０に供給され、Ｑ１１およびＱ１０は、電源検出回路からの電流ＩＯＵＴを差分信号に応じて分割する。Ｑ１２およびＱ１３はカレントミラーとして機能して、Ｑ１０およびＱ１１の電流の差分が後段のカレントミラーＱ１４およびＱ１５に供給されて最終出力電流を生成することにより、電源補正ヒータ信号を生成してヒータ制御信号として使用して、装置のヒータで消費される電力を制御する。
【００５８】
図８は、本発明の第１および第２の態様の両方を組み込んだ温度安定化装置の実施形態を示している。図４に示す装置構造と比較して、および装置構造に加えて、追加回路８「ｈｅａｔｅｒ  ｃｏｎｔｒｏｌ  ｓｉｇｎａｌ  ｓｕｂｔｒａｃｔｉｏｎ（ヒータ制御信号減算）」が導入されて、電源補正ヒータ制御信号の小部分を減算する。本明細書において前に説明したように、これは、ヒータ制御ループに対して、ヒータ制御ループがあたかも、内部消費電力も制御しているかのように提示され、これにより、本発明の第１の態様の電源補正技術で、電源変化に関する内部消費電力を瞬時に、またはほぼ瞬時に補正することができる。
【００５９】
電流減算機能を搭載する１つの方法では、図９に示すように、設定可能な量の電流を電源補正ヒータから流し出す簡単なプログラム可能な電流源を追加する。
【００６０】
ヒータドライバおよびヒータ回路を搭載する例が図１０に示されており、ヒータ制御電流Ｉｈｅａｔは、６８対１のサイズ比を持つ２つのＮＭＯＳトランジスタで形成されるカレントミラーで６８倍され、より大きなトランジスタが装置アセンブリのヒータとして使用される。
【００６１】
図１０に示す回路にヒータ制御信号（電流）減算回路を追加する例が図１１に示されており、減算回路は「Ｃｕｒｒｅｎｔ  Ｓｉｎｋ  Ｍｏｄｕｌｅ（電流シンクモジュール）」とラベル付けされ、端子Ｉｒｅｆは減算回路により使用される基準電流を受け入れ、端子Ｉｓｅｌｅｃｔは、２値信号を伝送して正しい量のヒータ制御信号（電流）を選択して減算し、減算後の電流がＩａ端子を介して回路の基準接地に流れ込む。
【００６２】
Ｃｕｒｒｅｎｔ  Ｓｉｎｋ  Ｍｏｄｕｌｅ（電流シンクモジュール）の実施形態の例が図１２に示されている。この回路では、基準電流ＩｒｅｆはトランジスタＮ１からトランジスタＮ２、Ｎ３、Ｎ４に１、２、および４倍の割合でミラーリングされる。スイッチＳ１、Ｓ２、およびＳ３は、Ｉｓｅｌｅｃｔバスの信号により制御されて、２進重み付き値の基準電流を０〜７回、端子Ｉａを介して流し出す。
【００６３】
図１３〜図１６は、本発明の技術を利用することにより得られる性能上の利点を示している。図１３および図１４は、電源電圧変化に対する従来のＯＣＸＯの測定過渡応答を示している。図１３は、５％の電源電圧上昇に続く過渡出力周波数変化を示しており、図１３に示されているように、周波数は電源電圧の変化の結果として不安定になり、過渡外乱は落ち着くのに３０秒以上を要し、１２ｐｐｂのピークツーピーク周波数偏移が過渡応答中に生じる。電源電圧が５％降下すると、図１４に示すように、同様の大きさ、および時間長の過渡的な出力周波数変化が生じる。
【００６４】
本発明の１つの実施形態を含むＯＣＸＯ装置は、電源電圧の階段状変化に対して著しく加速された応答を示している。図１５に示すように、本発明のＯＣＸＯにおける電源電圧の上昇に対する過渡出力周波数応答は、１秒未満にわたって生じ、従来のＯＣＸＯの偏移と比較して大きな周波数偏移を全く伴わない。本発明のＯＣＸＯ装置は、図１６に示すように、５％の電源電圧降下に対して、有意な周波数偏移が全くない同様に短い過渡応答を示している。
【図１】
2020533850.tif 000014
【図２】
2020533850.tif 000015
【図３】
2020533850.tif 000016
【図４】
2020533850.tif 000017
【図５】
2020533850.tif 000018
【図６】
2020533850.tif 000019
【図７】
2020533850.tif 000020
【図８】
2020533850.tif 000021
【図９】
2020533850.tif 000022
【図１０】
2020533850.tif 000023
【図１１】
2020533850.tif 000024
【図１２】
2020533850.tif 000025
【図１３】
2020533850.tif 000026
【図１４】
2020533850.tif 000027
【図１５】
2020533850.tif 000028
【図１６】
2020533850.tif 000029
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
電源電圧源により給電することができる温度安定化装置であって、前記装置は、前記装置のアセンブリを加熱するヒータ回路と、ヒータ制御信号を生成して前記ヒータ回路内で消費される電力量を制御するように構成される回路と、を備え、前記ヒータ制御信号は、加熱要求信号と電源電圧検出信号を乗算した積として生成される、温度安定化装置。
【請求項２】
追加電子回路は、前記信号が前記ヒータ回路またはヒータドライバ回路に印加される前に、前記ヒータ制御信号の絶対値を小さくするように構成される、請求項１に記載の温度安定化装置。
【請求項３】
前記温度安定化装置は、オーブン制御発振器（Ｏｖｅｎ−Ｃｏｎｔｒｏｌｌｅｄ  Ｏｓｃｉｌｌａｔｏｒ）装置である、請求項１または請求項２のいずれかに記載の温度安定化装置。
【請求項４】
前記オーブン制御発振器装置は、オーブン制御水晶発振器（Ｏｖｅｎ−Ｃｏｎｔｒｏｌｌｅｄ  Ｃｒｙｓｔａｌ  Ｏｓｃｉｌｌａｔｏｒ）装置である、請求項３に記載のオーブン制御発振器装置。
【請求項５】
前記オーブン制御発振器装置は、オーブン制御ＳＡＷ発振器（Ｏｖｅｎ−Ｃｏｎｔｒｏｌｌｅｄ  ＳＡＷ  Ｏｓｃｉｌｌａｔｏｒ）装置である、請求項３に記載のオーブン制御発振器装置。
【請求項６】
前記オーブン制御発振器装置は、オーブン制御ＭＥＭＳ発振器（Ｏｖｅｎ−Ｃｏｎｔｒｏｌｌｅｄ  ＭＥＭＳ  Ｏｓｃｉｌｌａｔｏｒ）装置である、請求項３に記載のオーブン制御発振器装置。
【請求項７】
ヒータ制御信号を生成して前記ヒータ回路内で消費される前記電力量を制御するように構成される前記回路は、前記装置のアセンブリ温度を前記装置の所望の動作周囲温度範囲の最大±５％以内に維持するように構成される、請求項１〜６のいずれかに記載の温度安定化装置。
【請求項８】
ヒータ制御信号を生成して前記ヒータ回路内で消費される前記電力量を制御するように構成される前記回路は、前記装置のアセンブリ温度を前記装置の所望の動作周囲温度範囲の最大±１％以内に維持するように構成される、請求項１〜６のいずれかに記載の温度安定化装置。
【請求項９】
ヒータ制御信号を生成して前記ヒータ回路内で消費される前記電力量を制御するように構成される前記回路は、前記装置のアセンブリ温度を前記装置の所望の動作周囲温度範囲の最大±０．０１％以内に維持するように構成される、請求項１〜６のいずれかに記載の温度安定化装置。
【請求項１０】
前記ヒータ制御信号は、前記電源電圧レベルの変化が±１０％を超えないように電子的に調整されるように構成される、請求項１〜９のいずれかに記載の温度安定化装置。
【請求項１１】
前記ヒータ制御信号は、前記電源電圧レベルの変化が±５％を超えないように電子的に調整されるように構成される、請求項１〜９のいずれかに記載の温度安定化装置。
【請求項１２】
前記ヒータ制御信号は、前記電源電圧レベルの変化が±１％を超えないように電子的に調整されるように構成される、請求項１〜９のいずれかに記載の温度安定化装置。
【請求項１３】
電源電圧源により給電することができるオーブン制御発振器装置であって、前記装置は、発振器回路と、前記装置のアセンブリを加熱するヒータ回路と、ヒータ制御信号を生成して前記ヒータ回路内で消費される前記電力量を制御するように構成される回路と、を備え、前記ヒータ制御信号は、加熱要求信号と電源電圧検出信号を乗算した積として生成される、オーブン制御発振器装置。
【請求項１４】
追加回路は、前記信号が前記ヒータ回路に、またはヒータドライバ回路に印加される前に、前記ヒータ制御信号の絶対値を小さくするように構成される、請求項１３に記載のオーブン制御発振器装置。
【請求項１５】
電源電圧源により給電することができる温度安定化装置であって、前記装置は、前記装置のアセンブリを加熱するヒータ回路と、ヒータ制御信号を生成して前記ヒータ回路内で消費される電力量を制御するように構成される回路と、を備え、前記ヒータ制御信号は、前記電源電圧レベルに依存して、前記電源電圧レベルの変化に応じて電子的に調整されるように構成され、追加電子回路は、前記信号が前記ヒータ回路に、またはヒータドライバ回路に印加される前に、前記ヒータ制御信号の絶対値を小さくするように構成される、温度安定化装置。
【請求項１６】
電源電圧源により給電することができるオーブン制御発振器装置であって、前記装置は、発振器回路と、前記装置のアセンブリを加熱するヒータ回路と、ヒータ制御信号を生成して前記ヒータ回路内で消費される電力量を制御するように構成される回路と、を備え、前記ヒータ制御信号は、前記電源電圧レベルに依存して、前記電源電圧レベルの変化に応じて調整されるように構成され、追加回路は、前記信号が前記ヒータ回路に、またはヒータドライバ回路に印加される前に、前記ヒータ制御信号の絶対値を小さくするように構成される、オーブン制御発振器装置。
【国際調査報告】
2020533850.tif 000030
2020533850.tif 000031
2020533850.tif 000032